(57)【要約】【課題】  制御部や電源部が備わる本体部側に、操作部を兼ねた大型の表示部を設けることにより、前面パネルには電気的配線が不要となり、本体部より着脱を可能とした前面パネルを完全に取り外して、メンテナンスを行うことができる台間遊技媒体貸出機を提供す。【解決手段】台間遊技媒体貸出機１を制御する制御部１２と、情報を表示する表示部１１と、前記表示部を固定する固定具１５と、遊技媒体を払い出す遊技媒体払出装置１３と、前記遊技媒体払出装置と、前記制御部と、前記固定具に固定された前記表示部とが備わる本体部５と、前記表示部が前面から視認可能な開口部９ａを有し、前記本体部に対して着脱可能な前面パネル８とを備え、前記表示部１１を前記本体部５に固定する前記固定具１５は、一端側を前記本体部５に対して回動可能に軸支し、他端側を前記本体部５に対して前後左右方向へ移動することを規制する。【選択図】図７
2009240417.tif 000002
【特許請求の範囲】
【請求項１】
遊技機に隣接して設置され、所定枚数の遊技媒体を貸し出す台間遊技媒体貸出機において、
前記台間遊技媒体貸出機は、
前記台間遊技媒体貸出機を制御する制御部と、
前記制御部により制御される前記台間遊技媒体貸出機に関する情報を表示する表示部と、
前記表示部を固定する固定具と、
遊技媒体を払い出す遊技媒体払出装置と、
前記遊技媒体払出装置と、制御部と、固定具に固定された表示部とを有する本体部と、
前記表示部を前面から視認可能な開口部を有した、前記本体部に対して着脱可能な前面パネルと、
を備え、
前記固定具は、一端側を前記本体部に対して回動可能に軸支し、他端側に設けた固定具突部を、前記本体部側に設けた固定具開口部に嵌め込むことで、前後左右方向へ移動することを規制する、固定位置規制手段を有していることを特徴とする台間遊技媒体貸出機。
【発明の詳細な説明】
【技術分野】
【０００１】
本発明は、遊技機に隣接して配置され、貨幣類の投入により所定枚数の遊技媒体を貸し出す台間遊技媒体貸出機に関するものである。
【背景技術】
【０００２】
従来、遊技店(パチスロ遊技島)においては、遊技機(スロットマシン)を縦方向、直線的に配列し、遊技機一台毎に遊技客に遊技媒体(メダル等)を供給する台間遊技媒体貸出機が連列されている。台間遊技媒体貸出機は内部に遊技媒体払出装置を備え、遊技客が台間遊技媒体貸出機の上部に位置する貨幣投入機に貨幣を投入し、前記貨幣投入機にて投入された貨幣の真偽を識別し、正規の貨幣と判断された場合に、前記遊技媒体払出装置より所定枚数の遊技媒体を遊技客に払い出す。
【０００３】
従来からの遊技媒体貸出機としては、縦長直方体形状の遊技媒体貸出機の本体部であり、スロットマシン等の遊技機に隣接して設置される。遊技媒体貸出機の本体部は、その正面側の上方部に貨幣投入口が設けられており、中段部には遊技媒体であるメダルの払い出し枚数、エラー等を表示する小型の外部表示部が、また、下方部には遊技媒体を遊技機の下方に設けられている下皿内に払い出すノズルシュートが設けられている。遊技媒体貸出機は文献１にて開示されている。
【０００４】
また、表示部としての画像表示装置の回動が可能なものとして、スロットマシンにおいては、前面パネルの透明窓を通して液晶画像を遊技者に視認させるように、液晶ディスプレイを前面パネルの裏側に固定している。固定した液晶ディスプレイの液晶画像表示部については、蝶形ボルトを手回しで取り外すだけで、軸部材を中心にして液晶画像表示部を回動可能な状態にすることができる。回動可能な表示部が文献２にて開示されている。
【０００５】
ところが、最近は遊技者に対してのサービスの一環として、遊技媒体貸出機における表示性や、操作性の向上が求められている。そこで、表示性や操作性を向上させるために、最近では大型の液晶表示部や、タッチパネル等の操作部を設ける必要性が出てきたが、文献に開示された技術で構成される台間遊技媒体貸出機では、表示部が小型であるため遊技者に対しての視認性が悪く、且つ貸し出し操作が必要な場合には、操作部を別途設ける必要がある等の問題が生じる。
【０００６】
また、前面パネルの透明窓を通して視認可能な表示部は、該表示部を制御する制御部や、電源部が備わる本体部側とは別体に構成されている前面パネルに回動可能に固定し、動作や制御に支障が生じないような配線処理を行う。
このため、本体部側から前面パネル側に掛け渡した配線は、長さに余裕を持たせた状態で配線処理を行い且つ、前面パネルの閉鎖時には、余裕を持たせた配線の弛み分が装置類の動作に支障が生じないように何れかに収納又は固定する等の配線処理を行い、メンテナンス時の前面パネルの開放又は閉鎖時の配線の切断を回避する必要がある。
【特許文献１】特開平１１−３４２２５８
【特許文献２】特許２００２−３４６０３１
【発明の開示】
【発明が解決しようとする課題】
【０００７】
本発明は、上記した課題を解決しようとするもので、制御部や電源部が備わる本体部側に、操作部を兼ねた大型の表示部を設けることにより、前面パネルには電気的配線が不要となり、本体部より着脱を可能とした前面パネルを完全に取り外してメンテナンスを行うことができる。また、表示部を回動可能として本体部に備わる装置類の操作が容易となる。さらに表示部を固定する際に該表示部の移動を規制ことにより前記表示部の固定の位置出しを容易にすることができる。このことにより、遊技者に対しての視認性や操作性を損なうことなく、メンテナンス性を向上させた台間遊技媒体貸出機を提供することを目的とする。
【課題を解決するための手段】
【０００８】
上記目的を達成するため本発明は、遊技機に隣接して設置され、所定枚数の遊技媒体を貸し出す台間遊技媒体貸出機において、前記台間遊技媒体貸出機は、前記台間遊技媒体貸出機を制御する制御部と、前記制御部により制御される前記台間遊技媒体貸出機に関する情報を表示する表示部と、前記表示部を固定する固定具と、遊技媒体を払い出す遊技媒体払出装置と、前記遊技媒体払出装置と、制御部と、固定具に固定された表示部とを有する本体部と、前記表示部を前面から視認可能な開口部を有した、前記本体部に対して着脱可能な前面パネルと、を備え、前記固定具は、一端側を前記本体部に対して回動可能に軸支し、他端側に設けた固定具突部を、前記本体部側に設けた固定具開口部に嵌め込むことで、前後左右方向へ移動することを規制する、固定位置規制手段を有していることを特徴とする台間遊技媒体貸出機。
【発明の効果】
【０００９】
本発明の構成によれば、上方を回動可能に軸支した固定具によって表示部を本体部の前面に備えることにより、
本体部内部に備わる装置類に対して、前面パネルを完全に取り外し、固定具に備わる表示部を回動させて前面側を開放した状態で操作が可能なため、
本体内部の装置類のメンテナンス等が容易に行うことができる。
また、前記固定具に設けた固定具突部を、本体部側に設けた固定具開口部に嵌め込むことで、前後左右方向へ移動することを規制する、固定位置規制手段を設けることにより、前面のパネルの開口部と表示部の位置合わせが確実に行うことができる。
【発明を実施するための最良の形態】
【００１０】
以下、本発明の実施例について図面を参照しながら説明する。
【００１１】
図１は本発明である台間遊技媒体貸出機１を設置した遊技島２の構成を示す正面図である。図１に示す通り、遊技島２は遊技機３(スロットマシン)を横方向、直線的に配列し、遊技機一台毎に遊技客に遊技媒体(メダル等)を供給する台間遊技媒体貸出機１が連列されている。
【００１２】
台間遊技媒体貸出機１の上側には、遊技客が貨幣を投入する貨幣投入機４が設けられている。前記貨幣投入機４の内部には紙幣識別機(図示せず)が設けられ、遊技客が投入する貨幣の真偽を識別する。遊技客が貨幣を貨幣投入機４に投入することで、前記貨幣投入機４の内部に設けた紙幣識別機にて、遊技客が投入した前記貨幣の真偽を識別し、正規の貨幣と判断された場合に、所定枚数の遊技媒体を遊技機３の受け皿３aに払い出す。
【００１３】
図２は本発明である台間遊技媒体貸出機１の外観斜視図である。
台間遊技媒体貸出機１は、前面側を開口した縦長の箱状の本体部５と、前記本体部５の前面側上部に位置し、前記本体部５と前面側より着脱できる制御部パネル６と、遊技媒体を補給する際に開閉する補給パネル７と、前記本体部５の前面側下部に位置し、前記補給パネル７と蝶板にてネジ止めされ、前記本体部５と着脱自在の構成からなる前面パネル８とから構成されている。
【００１４】
前記前面パネル８は、該前面パネル８の前面側上部に液晶保護パネル９と、前面側下部に所定枚数の遊技媒体を遊技機３の受け皿３aに払い出す供給部１０と、から構成されている。なお、補給パネル７には施錠鍵７aが設けられ、遊技客が不正に開閉できない構造になっている。
【００１５】
液晶保護パネル９には、その裏面側に液晶操作部１１（後述する図３）が配置されている。そして液晶操作部１１は前面側より液晶保護パネル９の液晶保護パネル開口部９ａを介して視認及び操作を可能としている。
また、液晶保護パネル９は、例えば本発明では遊技機３の右側に台間遊技媒体貸出機１を配置しているため、液晶保護パネル開口部９ａの正面を遊技者側に向けた扇形状であり、すなわち液晶保護パネル９の右側が突設した形状としているため、台間遊技媒体貸出機１の左側に位置する遊技者以外からは見え難い構造としている。
さらに、前面パネル８と補給パネル７は蝶板にてネジ止めされ一体化されており、前面パネル８を着脱する際、補給パネル７も着脱することができる。
【００１６】
図３及び図４は、台間遊技媒体貸出機１の本体部５内部詳細を示す図である。
台間遊技媒体貸出機１の前記本体部５の内部には、台間遊技媒体貸出機１の払出制御等、動作制御を行う制御部１２と、遊技客が貨幣投入機４（図１参照）より投入した貨幣類に応じて所定枚数の遊技媒体を払い出す遊技媒体払出装置１３と、前記遊技媒体払出装置１３から払い出す遊技媒体を貯留する貯留タンク１４と、表示部としての液晶操作部１１と、から構成される。
【００１７】
制御部パネル６、補給パネル７及び、前面パネル８は台間遊技媒体貸出機１の本体部５に備わる各構成の前面に設けられており、制御部１２の前面には制御部パネル６、貯留タンク１４の前面には補給パネル７、液晶操作部１１の前面には前面パネル８に備わる液晶保護パネル９、遊技媒体払出装置１３の前面には前面パネル８に備わる補給部９が位置している。
【００１８】
制御部１２には遊技客が投入する媒体（ＩＣカード,ＩＣコイン等）を認識、制御する媒体制御部１２ａが設けられ、遊技客は必要に応じ台間遊技媒体貸出機１に媒体を投入することができる。また制御部１２の前面側には各種スイッチ、表示部等（図示せず）が設けられており、遊技客が遊技媒体を借り受けるとき等に各種スイッチを操作可能としている。  さらに貯留タンク１４の内部の遊技媒体の貯留量が少なくなると、店員が補給パネル７に設けた施錠鍵７aを解錠して開放し、遊技媒体を入れ込み補給する。
【００１９】
図５（ａ）〜（ｃ）及び図６（ａ）〜（ｃ）は前記本体部５に備わる液晶操作部１１近傍の拡大図である。
図５は台間遊技媒体貸出機１が使用できる状態の時の液晶操作部１１の位置であり、前記液晶操作部１１は液晶固定具１５ａに固定されており該液晶固定具１５ａの上部は本体部５にネジ１５ｄ等で固定された固定具受部１５ｂに軸１５ｃにて軸支されており回動可能な状態となっている。
【００２０】
また、図６は台間遊技媒体貸出機１の本体部５に備わる液晶操作部１１の後方に配置された貯留タンク１４（図４参照）や、遊技媒体払出装置１３の保守の際の前記液晶操作部１１を回動させた状態である。
【００２１】
図５（ａ）に示す前記液晶固定具１５ａは、前面側に前記液晶操作部１１の両側方を囲むようにコの字形状を成し、該液晶操作部１１が固定される。また、図５（ｃ）に示す液晶固定具１５ａの上部端部には後方に向けて突出させて軸１５ｃが貫通可能な軸孔（不図示）及び、ネジ１５ｄが嵌まるネジ孔１５ｅを有している。
【００２２】
次に図６（ｃ）に示す前記固定具受部１５ｂは前記液晶固定具１５ａを軸１５ｃで軸支可能な軸孔（不図示）と前記ネジ孔１５ｅ嵌めたネジ１５ｄを受ける切欠き１５ｆを有しており、図５（ａ）に示すように、液晶操作部１１が固定された液晶固定具１５ａに備えたネジ１５ｄが前記固定具受部１５ｂの切欠き１５ｆに嵌まりネジ１５ｄを締め付けることにより、前記固定具受部１５ｂに対して液晶固定具１５ａが固定される構造としている。なお、ネジ１５ｄを指で締め付けるタイプとすれば工具を使用せずに液晶固定具１５ａの固定を解除することが可能である。
【００２３】
さらに、図６（ａ）及び図４（ｂ）（ｃ）に示す固定位置規制手段としての前記液晶固定具１５ａの下部端部には、後方突出させた下部固定具１５ｇの端部には下部固定具突部１５ｈを備え、また本体部５に備わる貯留タンク１４の前面側に位置する貯留タンク壁１４ａの前記下部固定具突部１５ｈに対応する位置には固定具開口部１５ｊを設け、液晶操作部１１が備わる液晶固定具１５ａを前記台間遊技媒体貸出機１が使用可能な状態である液晶操作部１１が正面に向いた状態の時には、前記下部固定具突部１５ｈが前記固定具開口部１５ｊに嵌まり込むことにより前記液晶操作部１１が備わる前記液晶固定具１５ａの固定する位置出しが容易となる。
【００２４】
また、前記固定具開口部１５ｊの開口幅は、前記下部固定具突部１５ｈの横幅に対して負荷なく嵌まり込み且つ、ガタつかない程度の開口幅とすることにより、前記液晶操作部１１が備わる前記液晶固定具１５ａの下部端部の下部固定具１５ｇの端部に突出させた下部固定具突部１５ｈの横方向の移動が規制されるので前記液晶操作部１１の位置が規制される。
【００２５】
さらに、図４（ｃ）は図４（ｂ）のＡ−Ａ断面を示し、前記下部固定具１５ｇの端部の当接部１５ｋと前記貯留タンク壁１４ａが当接することにより、液晶固定具１４ａと台間遊技媒体貸出機１の本体部５からの距離（位置）を１５ｇの長さによって一定に保つことができる。
すなわち、本体部５から液晶操作部１１との距離（位置）が一定に保たれることにより、前面パネル８を本体部５に装着する際には、前記前面パネル８に備わる液晶保護パネル９の液晶保護パネル開口部９ａを介して操作及び視認される前記液晶操作部１１は前記液晶保護パネル開口部９ａとの位置が常に一定に保つことが可能となる。
【００２６】
図７は本発明の台間遊技媒体貸出機１の本体部５に備わる液晶操作部１１を回動させた状態を示す図である。前記本体部５の下部に備わる遊技媒体を払い出す遊技媒体払出装置１３のメンテナンスや修理時には前記遊技媒体払出装置１３を前方に引き出す必要がある。この時、遊技媒体払出装置１３の上部が前記液晶操作部１１の下部に当接（図４（ｂ）参照）する配置のため前記液晶操作部１１を前方に回動させ遊技媒体払出装置１３の上部を回避することにより前方に引き出すことができる。なお、例えば液晶操作部１１の後方に配置された装置類に対してもアクセスがし易くなりメンテナンスの向上が可能となる。
【図面の簡単な説明】
【００２７】
【図１】は本発明に係る台間遊技媒体貸出機１を設置した遊技島２の構成を示す正面図である。
【図２】は本発明に係る台間遊技媒体貸出機１の外観斜視図である。
【図３】は本発明に係る台間遊技媒体貸出機１の前面パネル８を取り外した外観斜視図である。
【図４】（ａ）は本発明に係る台間遊技媒体貸出機１の内部構成平面図であり、（ｂ）は液晶固定具１５ａ近傍の、拡大平面図であり（ｃ）は図４（ｂ）のＡ−Ａ線による断面図の一部である。
【図５】（ａ）は本発明に係る台間遊技媒体貸出機１の液晶操作部１１が使用可能な状態のときの液晶固定具１５ａ近傍の拡大斜視図であり、（ｂ）（ｃ）は図５（ａ）の固定具受部１５ｂ近傍の拡大斜視図である。
【図６】（ａ）は本発明に係る台間遊技媒体貸出機１の液晶操作部１１を回動させた状態のときの液晶固定具１５ａ近傍の拡大斜視図であり、（ｂ）（ｃ）は図５（ａ）の固定具受部１５ｂ近傍の拡大斜視図である。
【図７】は本発明に係る台間遊技媒体貸出機１に備わる遊技媒体払出装置１３を前方に引き出したときの液晶操作部１１を回動させた状態の外観斜視図である。
【符号の説明】
【００２８】
１  台間遊技媒体貸出機
２  遊技島
３  遊技機
３ａ  受け皿
４  貨幣投入機
５  本体部
６  制御部パネル
７  補給パネル
８  前面パネル
９  液晶保護パネル
９ａ  液晶保護パネル開口部
１０  補給部パネル
１１  液晶操作部
１２  制御部
１３  遊技媒体払出装置
１４  貯留タンク
１４ａ  貯留タンク壁
１５ａ  液晶固定具
１５ｂ  固定具受部
１５ｃ  軸
１５ｄ  ネジ
１５ｅ  ネジ孔
１５ｆ  切欠き
１５ｇ  下部固定具
１５ｈ  下部固定具突部
１５ｊ  固定具開口部
１５ｋ  当接部
【図１】
2009240417.tif 000003
【図２】
2009240417.tif 000004
【図３】
2009240417.tif 000005
【図４】
2009240417.tif 000006
【図５】
2009240417.tif 000007
【図６】
2009240417.tif 000008
【図７】
2009240417.tif 000009